(57)【特許請求の範囲】
【請求項１】
複数のマルチアングル端末と、複数の映像配信装置と、映像編集装置と、課金装置とがネットワークを介して接続され、
前記各マルチアングル端末は、利用者の表示要求により、画面上に受信した複数の映像を小画面として表示し、その内の一つの映像を主画面として表示し、
前記映像編集装置は、前記各マルチアングル端末の主画面で視聴されているアングル映像のユーザ数を集計し、当該集計された視聴率に基づき視聴率の最高の部分を繋げて編集映像を生成する映像配信システムにおける課金装置であって、
前記マルチアングル端末で視聴したユーザのユーザ情報を受信する受信手段と、
前記ユーザ情報及び前記映像編集装置で生成された編集映像を別のユーザによって視聴されたときの視聴記録を記憶する記憶手段と、
前記記憶された視聴記録に基づき、編集映像を生成したときに協力したマルチアングル端末のユーザにキャッシュバック情報を送信する手段とを有することを特徴とする課金装置。
【請求項２】
複数のマルチアングル端末と、複数の映像配信装置と、映像編集装置と、課金装置とがネットワークを介して接続され、
前記各マルチアングル端末は、利用者の表示要求により、画面上に受信した複数の映像を小画面として表示し、その内の一つの映像を主画面として表示し、
前記映像編集装置は、前記各マルチアングル端末の主画面で視聴されているアングル映像のユーザ数を集計し、当該集計された視聴率に基づき視聴率の最高の部分を繋げて編集映像を生成する映像配信システムにおける課金装置の課金方法であって、
前記マルチアングル端末で視聴したユーザのユーザ情報を受信するステップと、
前記ユーザ情報及び前記映像編集装置で生成された編集映像を別のユーザによって視聴されたときの視聴記録を記憶手段に記憶するステップと、
前記記憶された視聴記録に基づき、編集映像を生成したときに協力したマルチアングル端末のユーザにキャッシュバック情報を送信するステップとを有することを特徴とする課金方法。
【請求項３】
請求項２に記載の課金方法をコンピュータに実行させるためのプログラム。
【請求項４】
請求項３に記載のプログラムが記憶された記録媒体。
【発明の詳細な説明】
【技術分野】
【０００１】
本発明は、課金装置、課金方法、プログラム、および記録媒体に係り、特に、複数のユーザ端末に対して複数の映像コンテンツを同時に表示再生するシステムに関する。
【背景技術】
【０００２】
従来、複数のアングル映像はテレビ局の編集者が編集者の判断で、編集し、つなぎ合わせて視聴者に送信していた。
また、従来ネットワークを介して広告を配信する広告配信方法もいくつか提案されている（下記特許文献１参照）。
【先行技術文献】
【特許文献】
【０００３】
【特許文献１】特願２０００−０４８２１７号
【発明の概要】
【発明が解決しようとする課題】
【０００４】
前述したように、従来、複数のアングル映像はテレビ局の編集者が編集者の判断で、編集し、つなぎ合わせて視聴者に送信しており、マルチアングル映像の視聴率を用いて映像編集を自動で行うものは知られていない。
また、マルチアングル画面の各アングル映像の視聴率等に基づいて広告を決定し、複数の広告を同時に配信するものはなかった。
本発明は、前記従来技術の問題点を解決するためになされたものであり、本発明の目的は、マルチアングル映像の視聴率を用いて映像編集を自動で行う映像編集方法を実施する際の課金装置、および課金方法を提供することにある。
また、本発明の他の目的は、前述の課金方法をコンピュータに実行させるためのプログラム、並びに、前述のプログラムが記録された記録媒体を提供することにある。
本発明の前記ならびにその他の目的と新規な特徴は、本明細書の記述及び添付図面によって明らかにする。
【課題を解決するための手段】
【０００５】
本願において開示される発明のうち、代表的なものの概要を簡単に説明すれば、下記の通りである。
本発明は、複数のマルチアングル端末と、複数の映像配信装置と、映像編集装置と、課金装置とがネットワークを介して接続され、前記各マルチアングル端末は、利用者の表示要求により、画面上に受信した複数の映像を小画面として表示し、その内の一つの映像を主画面として表示し、前記映像編集装置は、前記各マルチアングル端末の主画面で視聴されているアングル映像のユーザ数を集計し、当該集計された視聴率に基づき視聴率の最高の部分を繋げて編集映像を生成する映像配信システムにおける課金装置であって、前記マルチアングル端末で視聴したユーザのユーザ情報を受信し、前記ユーザ情報及び前記映像編集装置で生成された編集映像を別のユーザによって視聴されたときの視聴記録を記憶し、前記記憶された視聴記録に基づき、編集映像を生成したときに協力したマルチアングル端末のユーザにキャッシュバック情報を送信することを特徴とする。
また、本発明は前述の課金方法をコンピュータに実行させるためのプログラムと、当該プログラムが記憶された記録媒体である。
【発明の効果】
【０００６】
本願において開示される発明のうち代表的なものによって得られる効果を簡単に説明すれば、下記の通りである。
本発明によれば、編集映像を別のユーザにより視聴された時に、マルチアングル端末で編集映像の作成に協力したユーザにキャッシュバック情報を提供することが可能となる。
【図面の簡単な説明】
【０００７】
【図１】図１は、本発明の参考例の映像編集装置と広告配信装置、および本発明の実施例の課金装置が適用される映像配信システムの概略構成を示すブロック図である。
【図２】図１に示す映像編集装置、課金装置、および広告配信装置の概略構成を示すブロック図である。
【図３（ａ）】本発明の参考例の映像編集方法を説明するためのフローチャートである。
【図３（ｂ）】本発明の実施例の課金方法を説明するためのフローチャートである。
【図４】本発明の参考例の広告配信方法を説明するためのフローチャートである。
【発明を実施するための形態】
【０００８】
以下、図面を参照して本発明の実施例を詳細に説明する。
なお、実施例を説明するための全図において、同一機能を有するものは同一符号を付け、その繰り返しの説明は省略する。
［実施例１］
以下、図面を参照して本発明の実施例を詳細に説明する。
なお、実施例を説明するための全図において、同一機能を有するものは同一符号を付け、その繰り返しの説明は省略する。
図１は、本発明の参考例の映像編集装置と広告配信装置、および本発明の実施例の課金装置が適用される映像配信システムの概略構成を示すブロック図である。
図１に示す映像配信システムは、複数のマルチアングル端末（２１０〜２Ｎ０）と、映像配信装置（１１０〜１Ｎ０）と、通常の１画面のユーザ端末７００と、映像編集装置４００と、課金装置５００と、広告配信装置６００とが、ネットワーク３００を介して相互に接続されて構成される。
図２は、図１に示す映像編集装置４００、課金装置５００、および広告配信装置６００の概略構成を示すブロック図である。
図２に示すように、映像編集装置４００は、送受信手段４０１と、複数のマルチアングル端末（２１０〜２Ｎ０）の主画面で視聴されているアングル映像のユーザ数を集計する集計手段４０２と、集計手段４０２で集計された視聴率に基づき視聴率の最高の部分を繋げる映像編集手段４０３と、編集映像を蓄積する映像蓄積手段４０４とから構成される。
課金装置５００は、映像編集装置４００と通信を行う送受信手段５０１と、マルチアングル端末で視聴したユーザのユーザ情報（つまり、視聴率を用いた編集映像の協力者のユーザ情報）及び編集された映像を別のユーザが視聴した際の視聴ユーザ情報の記録を記録する記憶手段５０２とから構成される。
広告配信装置６００は、送受信手段６０１、マルチアングル端末の主画面で視聴されているアングル映像のユーザ数を集計する集計手段６０２、集計した視聴率に基づき各映像とともに配信する広告を決定する広告決定手段６０３とから構成される。
【０００９】
以下、本発明の参考例の映像編集方法を、図３（ａ）を用いて説明する。
マルチアングル端末（２１０〜２Ｎ０）のユーザは、映像配信装置（１１０〜１Ｎ０）に複数の映像を用いたマルチアングル映像を要求する（ステップＳ２０１）。
送信要求情報を受信した映像配信装置（１１０〜１Ｎ０）は、映像を送信する（ステップＳ１０１）。
マルチアングル端末（２１０〜２Ｎ０）のユーザは、ユーザ好みのアングル映像を主画面に選択しながら、映像を視聴し（ステップＳ２０２）、主画面の視聴記録を映像編集装置４００に送信する（ステップＳ２０３）。
映像編集装置４００は、集計手段４０２で、各マルチアングル端末（２１０〜２Ｎ０）の主画面（親画面）で視聴された映像のログを集計して記憶する（ステップＳ４０１）。
そして、映像編集手段４０３で、集計手段４０２での集計結果に基づき、視聴率の高い映像の映像をつなげた編集映像を新たに生成し（ステップＳ４０２）、編集された編集映像を映像蓄積手段４０４に蓄積する（ステップＳ４０３）。
さらに、別のユーザ端末（例えば、１画面端末など）７００のユーザによって、編集映像が要求され（ステップＳ７０１）、映像編集装置４００に編集映像要求を受信すると、映像編集装置４００は編集映像の送信を開始する（ステップ４０４）。
ユーザ端末７００は映像を受信し（ステップＳ７０２）、これにより、ユーザは編集された映像の視聴が可能となる。
【００１０】
以下、本実施例の課金方法を、図３（ｂ）を用いて説明する。なお、図３（ｂ）のステップＳ１０１、ステップＳ２０１、ステップＳ２０２、ステップＳ４０２、ステップＳ４０３、ステップＳ７０１、およびステップＳ７０２は、図３（ａ）の各ステップと同じであるので再度の説明は省略する。
本実施例の課金方法では、図３（ｂ）のステップＳ２０３において、映像の視聴ログとともに視聴ログの作成ユーザのユーザ情報も送信する。
また、図３（ｂ）のステップ４０１において、映像の視聴ログとともに視聴ログの作成ユーザ（即ち、編集映像の作成に協力したユーザ）のユーザ情報も同時に記録する。
そして、図３（ｂ）のステップＳ４０４において、編集映像を別のユーザ端末７００に送信するとともに、編集映像の視聴情報と、視聴ログの作成ユーザのユーザ情報を課金装置５００に送信する。
課金装置５００は、記録手段５０２に、編集映像の視聴ログと、視聴ログの作成ユーザのユーザ情報を記録し（ステップＳ５０１）、編集映像の視聴ログをもとに、視聴率収集に協力したマルチアングル端末（２１０〜２Ｎ０）にキャッシュバック情報を送信する（ステップＳ５０２）。
視聴率収集に協力したマルチアングル端末（２１０〜２Ｎ０）は、当該キャッシュバック情報を受信する（ステップＳ２０４）。
【００１１】
以下、本発明の参考例の広告配信方法を、図４を用いて説明する。
マルチアングル端末（２１０〜２Ｎ０）のユーザは、映像配信装置（１１０〜１Ｎ０）に複数の映像を用いたマルチアングル映像を要求する（ステップＳ２０１）。
送信要求情報を受信した映像配信装置（１１０〜１Ｎ０）は、映像を送信する（ステップＳ１０１）。
マルチアングル端末（２１０〜２Ｎ０）のユーザは、ユーザ好みのアングル映像を主画面に選択しながら映像を視聴し（ステップＳ２０２）、主画面の視聴記録を広告配信装置６００に送信する（ステップＳ２０４）。
このステップＳ２０４では、主画面を切り替える毎に、主画面の視聴記録を広告配信装置６００に送信する。
広告配信装置６００では、集計手段６０２が、マルチアングル端末（２１０〜２Ｎ０）の主画面で視聴された映像視聴のログ、および映像を視聴しているユーザ情報を集計して記憶する（ステップＳ６０１）。
また、広告決定手段６０３が、マルチアングル端末（２１０〜２Ｎ０）の各画面で視聴されている映像をもとに、どこのアングル映像になにの広告を挿入するのかを決定する（ステップＳ６０２）。
【００１２】
このステップＳ６０２においては、各マルチアングル端末（２１０〜２Ｎ０）のユーザが、主画面および子画面でどのアングル映像の映像を見ているのかを把握できるので、例えば、マルチアングル端末（２１０〜２Ｎ０）のユーザに対して、常に主画面（即ち、マルチアングル端末（２１０〜２Ｎ０）の主画面で最も視聴率が高い映像）への広告配信を行うことや、逆に広告配信料金を削減のため、常に子画面への広告配信を行うことなど予め広告配信業者が決定したルール等に従い広告を配信できる。
あるいは、各マルチアングル端末（２１０〜２Ｎ０）の視聴率をもとに、高い金額を支払った広告配信業者から順番に視聴率の高いアングル映像順に広告を挿入するというルールも設定でき、柔軟な対応が可能である。
つぎに、広告を映像配信装置（１１０〜１Ｎ０）に配信する（ステップＳ６０３）。
映像配信装置（１１０〜１Ｎ０）は、広告配信装置６００で決定された広告配信方法に従い、各映像に広告を挿入する（ステップＳ１０２）。
マルチアングル端末（２１０〜２Ｎ０）は、各映像毎の広告を受信する（ステップＳ２０５）。
映像視聴が終了でない場合（ステップＳ２０６のＮＯ）には、映像配信装置（１１０〜１Ｎ０）が映像の再送を開始し（ステップＳ１０３）、前述各ステップを繰り返す。
【００１３】
なお、本発明の参考例において、広告配信装置６００は、各マルチアングル端末（２１０〜２Ｎ０）のユーザが、主画面および子画面でどのアングル映像の映像を見ているのかを把握できるので、例えば、特定のマルチアングル端末のユーザに対して、常に主画面への広告配信を行うことや、逆に、常に子画面への広告配信を行うことも可能である。
また、各マルチアングル端末（２１０〜２Ｎ０）の各アングル映像の視聴率も把握できるので、各アングル映像の視聴率にもとづいて、広告配信料金（広告配信業者への課金）も決定することもできる。
また、前述の説明において、映像編集装置４００、課金装置５００、広告配信装置６００はコンピュータに実行させることも可能であり、その場合に、本発明の参考例の映像編集方法と広告配信方法、および本実施例の課金方法は、コンピュータ内のハードディスクなどに格納されるプログラムを、コンピュータが実行することにより行われる。このプログラムは、ＣＤ−ＲＯＭ、あるいは、ネットワークを介したダウンロードにより供給される。
以上、本発明者によってなされた発明を、前記実施例に基づき具体的に説明したが、本発明は、前記実施例に限定されるものではなく、その要旨を逸脱しない範囲において種々変更可能であることは勿論である。
【符号の説明】
【００１４】
１１０〜１Ｎ０  映像配信装置
２１０〜２Ｎ０  マルチアングル端末
３００  ネットワーク
４００  映像編集装置
４０１  送受信手段
４０２  集計手段
４０３  映像編集手段
４０４  映像蓄積手段
５００  課金装置
５０１  送受信手段
５０２  記憶手段
６００  広告配信装置
６０１  送受信手段
６０２  集計手段
６０３  広告決定手段
７００  通常の１画面のユーザ端末
【図１】
0004785949.tif 000002
【図２】
0004785949.tif 000003
【図３（ａ）】
0004785949.tif 000004
【図３（ｂ）】
0004785949.tif 000005
【図４】
0004785949.tif 000006